(57)【要約】【課題】最適な排出量にてディスク排出を行う。【解決手段】大径ディスク３ａを排出する大径ディスク３ａ排出位置と、小径ディスク３ｂを排出する小径ディスク３ｂ排出位置とに亘って回動され、大径ディスク３ａ及び小径ディスク３ｂの外周に当接されるアーム１２，１３と、アーム１２，１３に回動自在に取り付けられた係止部材１４と、係止部材１４の移動領域に進退可能に設けられ、係止部材１４と係脱可能に形成されたストッパ１５とを備え、係止部材１４がストッパ１５に係止されることによりアーム１２，１３が大径ディスク３ａ排出位置まで回動可能となり、係止部材１４がストッパ１５に係止されないことによりアーム１２，１３が小径ディスク３ｂ排出位置まで回動可能とされる。【選択図】図５
2009259358.tif 000002
【特許請求の範囲】
【請求項１】
大径ディスクを排出する大径ディスク排出位置と、小径ディスクを排出する小径ディスク排出位置とに亘って回動され、上記大径ディスク及び小径ディスクの外周に当接されるアームと、
上記アームに回動自在に取り付けられた係止部材と、
上記係止部材の移動領域に進退可能に設けられ、上記係止部材と係脱可能に形成されたストッパとを備え、
上記係止部材が上記ストッパに係止されることにより上記アームが上記大径ディスク排出位置まで回動可能となり、上記係止部材が上記ストッパに係止されないことにより上記アームが上記小径ディスク排出位置まで回動可能とされるディスクドライブ装置。
【請求項２】
上記アームには、上記大径ディスク及び小径ディスクを搬送するローラ部材が形成されている請求項１記載のディスクドライブ装置。
【請求項３】
上記係止部材は、上記大径ディスクの外周に当接することによって回動が規制されることにより上記ストッパに係止される請求項１記載のディスクドライブ装置。
【請求項４】
上記係止部材は、上記小径ディスクに当接することなく回動されることにより上記ストッパに係止されない請求項１記載のディスクドライブ装置。
【請求項５】
上記大径ディスク又は小径ディスクが偏倚して挿入されると、上記係止部材と係止することにより上記アームの回動を規制する規制部材が設けられている請求項１記載のディスクドライブ装置。
【請求項６】
大径ディスクを排出する大径ディスク排出位置と、小径ディスクを排出する小径ディスク排出位置とに亘って回動され、上記大径ディスク及び小径ディスクの外周に当接されるアームと、
上記アームに回動自在に取り付けられた係止部材と、
上記係止部材の移動領域に進退可能に設けられ、上記係止部材と係脱可能に形成されたストッパとを備え、
上記係止部材が上記ストッパに係止されることにより上記アームが上記大径ディスク排出位置まで回動可能となり、上記係止部材が上記ストッパに係止されないことにより上記アームが上記小径ディスク排出位置まで回動可能とされるディスクドライブ装置が内蔵された電子機器。
【発明の詳細な説明】
【技術分野】
【０００１】
本発明は、ディスクを駆動するディスクドライブ装置に関し、特に、径の異なるディスクを、それぞれ最適な排出位置に搬送するディスクドライブ装置及びこれを用いた電子機器に関するものである。
【背景技術】
【０００２】
光学ディスクとしては、従来よりＣＤ(Compact Disk)やＤＶＤ(Digital Versatile Disk)、ＢＤ（Blu-ray Disc）といった光ディスク、ＭＯ(Magneto optical)やＭＤ(Mini Disk)等の光磁気ディスクが広く知られており、これらディスクやディスクカートリッジ等に対応した各種のディスクドライブ装置が登場している。
【０００３】
ディスクドライブ装置には、筐体に設けられた蓋や扉を開放し、そこから臨むターンテーブルにディスクを直接装着するタイプ、筐体から水平方向に出し入れされるディスクトレイにディスクを載置することで、ディスクトレイが引き込まれた際にディスクが内部のターンテーブルに自動的に装着されるタイプ、或いはこのディスクトレイに設けられたターンテーブルにディスクを直接装着するタイプ等がある。しかしながら、何れのタイプも操作者にとって、蓋や扉を開閉したり、ディスクトレイを出し入れしたり、ターンテーブルにディスクを装着したりといった操作を必要とする。
【０００４】
これに対して、筐体の前面に設けられたディスク挿脱口からディスクを挿入するだけでディスクが自動的にターンテーブルに装着される、いわゆるスロットイン型のディスクドライブ装置がある。このディスクドライブ装置では、ディスク挿脱口からディスクが挿入されると、互いに対向する一対のガイドローラの間にディスクを挟み込みながら、これら一対のガイドローラを互いに逆向きに回転させることによって、ディスク挿脱口から挿入されたディスクを筐体の内部へと引き込むローディング動作と、このディスク挿脱口からディスクを筐体の外部へと排出するイジェクト動作とを行うものがある。
【０００５】
また、スロットイン型のディスクドライブ装置には、ディスク挿脱口から挿入されたディスクと、このディスクが装着されるターンテーブルが取り付けられたベースとの間に複数の回動アームを配置し、これら回動アームをコイルバネ等の付勢部材を用いて当該ディスクと平行な面内で回動させながら、ディスクをディスク挿脱口から筐体の内部へと引き込むローディング動作と、ディスクをディスク挿脱口から筐体の外部へと排出するイジェクト動作とを行うディスクドライブ装置も提案されている（例えば、特許文献１を参照。）。
【０００６】
ところで、この種のディスクドライブ装置においては、例えば直径１２ｃｍの大径ディスクと直径８ｃｍの小径ディスクとでは、装置本体のディスク挿脱口からの排出量が異なっており、何れのディスクを排出する場合にも、ディスクの中心孔がディスク挿脱口より外方に排出され、かつディスク自体はディスク挿脱口より脱落しないことが求められる。
【０００７】
しかし、このディスクドライブ装置は、ディスクの排出を回動アームを回動付勢するコイルバネ等の付勢部材によるバネ力のみを用いて行うため、大径ディスクと小径ディスクとで、付勢部材のバネ力を制御することができず、各ディスクにおいて最適な排出量とすることが困難であった。
【０００８】
また、ディスクの排出位置のばらつきを解消するため、ディスク挿脱口の内周面等に不織布を貼着し、ディスクと不織布との摺動摩擦を利用して所望の排出位置に保持する方法も提案されている。
【０００９】
しかし、不織布はディスクドライブ装置の置かれる環境、例えば温度や湿度等によって摩擦力にばらつきが生じ、また経年劣化によっても摩擦力が変化するため、安定してディスクを所望の位置に排出させることが困難となる。
【００１０】
【特許文献１】特開２００７−３３５０６５号公報
【発明の開示】
【発明が解決しようとする課題】
【００１１】
そこで、本発明は外径の異なる複数種類の光ディスクに対応したディスクドライブ装置において、ディスク外径に応じた最適な排出量にてディスク排出を行うことができるディスクドライブ装置及びこのディスクドライブ装置を用いた電子機器を提供することを目的とする。
【課題を解決するための手段】
【００１２】
上述した課題を解決するために、本発明に係るディスクドライブ装置は、大径ディスクを排出する大径ディスク排出位置と、小径ディスクを排出する小径ディスク排出位置とに亘って回動され、上記大径ディスク及び小径ディスクの外周に当接されるアームと、上記アームに回動自在に取り付けられた係止部材と、上記係止部材の移動領域に進退可能に設けられ、上記係止部材と係脱可能に形成されたストッパとを備え、上記係止部材が上記ストッパに係止されることにより上記アームが上記大径ディスク排出位置まで回動可能となり、上記係止部材が上記ストッパに係止されないことにより上記アームが上記小径ディスク排出位置まで回動可能とされるものである。
【００１３】
また、本発明に係る電子機器は、大径ディスクを排出する大径ディスク排出位置と、小径ディスクを排出する小径ディスク排出位置とに亘って回動され、上記大径ディスク及び小径ディスクの外周に当接されるアームと、上記アームに回動自在に取り付けられた係止部材と、上記係止部材の移動領域に進退可能に設けられ、上記係止部材と係脱可能に形成されたストッパとを備え、上記係止部材が上記ストッパに係止されることにより上記アームが上記大径ディスク排出位置まで回動可能となり、上記係止部材が上記ストッパに係止されないことにより上記アームが上記小径ディスク排出位置まで回動可能とされるディスクドライブ装置が内蔵されたものである。
【発明の効果】
【００１４】
本発明によれば、大径ディスク及び小径ディスクの排出を行うアームの回動領域を、アームに回動自在に取り付けられた係止部材とストッパとの係脱によって規制することにより、ディスクの径に応じた最適な排出位置まで回動させることができる。
【発明を実施するための最良の形態】
【００１５】
以下、本発明が適用されたディスクドライブ装置及び電子機器について、図面を参照しながら詳細に説明する。このディスクドライブ装置１は、音楽データ、映像データ等の各種データが記録されたＣＤ(Compact Disk)やＤＶＤ(Digital Versatile Disk)、ＢＤ（Blu-ray Disc）といった光ディスク３の記録再生装置である。ディスクドライブ装置１は、テレビと接続され光ディスクを記録媒体として用いるディスク記録再生機、ゲーム機、コンピュータ、車載用カーオーディオ／ナビゲーションシステム等のあらゆる電子機器に用いられるものである。ディスクドライブ装置１は、例えば直径約１２ｃｍの大径ディスクと、直径約８ｃｍの小径ディスクに対応可能とされ、これら大小のディスクを装置本体２の正面２ａに設けられたディスク挿脱口８から挿入するだけでディスクが自動的にローディングされる、いわゆるスロットイン型のディスクドライブ装置である。
【００１６】
図１に示すように、装置本体２は、略矩形状に形成され上方が開放されたた下部ケース４と、下部ケース４を閉塞する上部カバー５とが突き合わされることにより形成される。装置本体２は、光ディスク３を装置本体２の内外に亘って搬送するディスク搬送機構６と、光ディスク３に対して情報信号の書き込みや読み出しを行う光ピックアップ機構７とが配設されている。
【００１７】
また装置本体２は、正面２ａに光ディスク３が挿脱されるディスク挿脱口８が形成されている。ディスク挿脱口８は、大径ディスク３ａが挿入可能な幅で形成されている。ディスクドライブ装置１は、ユーザによってディスク挿脱口８より光ディスク３が挿入されると、ディスク搬送機構６によって光ディスク３を引き込み、光ピックアップ機構７に装着する。また、ディスクドライブ装置１は、ユーザによってディスクの排出操作がなされると、ディスク搬送機構６によって光ディスク３がディスク挿脱口８より排出される。
【００１８】
このとき、ディスクドライブ装置１は、大径ディスク３ａ又は小径ディスク３ｂに応じて排出位置を変え、何れの光ディスク３が搬送する場合にも、光ディスク３の中心孔がディスク挿脱口８より外部に臨まされる最適位置まで搬送し、保持する。したがって、ユーザは、光ディスク３の中心孔と外周部を摘むことで把持することができ、信号記録面に触れることなく光ディスクを扱うことができる。
【００１９】
次いで、かかる光ディスク３の挿排出を行うディスク搬送機構６について説明する。ディスク搬送機構６は、光ディスク３を引き込み及び排出を行うディスク挿排出ユニット１０と、ディスク挿排出ユニット１０によって引き込まれた光ディスクを光ピックアップ機構７のターンテーブル１１３に装着させるディスクチャッキングユニット８０と、ディスクチャッキングユニット８０の各種アームを稼働させるとともに光ピックアップ機構７を昇降させるスライダーユニット１００と、これら各ユニットに駆動力を伝達するギヤユニット６０を備える。
【００２０】
図２、図３及び図４に示すように、ディスク挿排出ユニット１０は、ディスク挿脱口８より光ディスク３が挿入されると、装置本体２の内部に光ディスク３を引き込み、また光ディスク３をディスク挿脱口８より中心孔が臨まされる最適位置まで排出するものである。ディスク挿排出ユニット１０は、装置本体２の正面２ａ側に設けられ、ディスク挿脱口８の下面と略面一に支持されるベース板１１と、ベース板１１に回動自在に設けられた左右一対の搬送アーム１２，１３と、搬送アーム１２，１３にそれぞれ回動自在に支持された係止部材１４，１４と、各係止部材１４，１４を係止することにより搬送アーム１２，１３の回動を規制するストッパ１５，１５と、搬送アーム１２，１３の先端に設けられた搬送ローラ１６，１６と、搬送アーム１２，１３を一体に回動させるタイミング部材１７，１８とを備える。
【００２１】
ベース板１１は、装置本体２の幅と略同一幅を有する矩形状をなし、装置本体２の下部ケース４に取り付けられている。ベース板１１は、装置本体２の背面２ｂ側の後側縁に、搬送ローラ１６，１６の回動領域に沿って湾曲するローラガイド部１９と、後述するタイミング部材１７，１８を支持するギヤ支持部２０とが形成されている。ローラガイド部１９は、左右一対の搬送アーム１２，１３に対応して、ベース板１１の後側縁に左右両側から中央にかけて形成されている。ギヤ支持部２０は、両ローラガイド部１９，１９間に張り出し形成されている。
【００２２】
ローラガイド部１９は、後述する搬送アーム１２，１３をベース板１１に対して回動可能に支持するものであり、搬送アーム１２，１３の回動領域に応じてベース板１１の両側から略中央部にかけて円弧状に張り出し形成された第1のガイド片１９ａが形成されている。第１のガイド片１９ａは、搬送アーム１２，１３に突接された第１の摺動片３５ａが摺動可能に係止されている。
【００２３】
また第１のガイド片１９ａは、ベース板１１の中央側端部に、第１の摺動片３５ａが当接することにより、搬送アーム１２，１３の排出方向への回動範囲を規制する回動規制壁１９ｂが形成されている。搬送アーム１２，１３は、第１の摺動壁３５ａが回動規制壁１９ｂに当接するまで回動することにより、搬送アーム１２，１３に設けられた搬送ローラ１６，１６によって、小径ディスク３ｂを所定の排出位置まで搬送する。
【００２４】
また、第１のガイド片１９ａは、ベース板１１の左右両側面側の端部に、搬送アーム１２，１３が最もディスク挿入方向へ回動された回動位置において、第１の摺動片３５ａが当接する壁部１９ｃが形成されている。搬送アーム１２，１３は、第１の摺動片３５ａが壁部１９ｃに当接するまで回動されると、搬送ローラ１６，１６が光ディスク３の外周面から離間し、回転自在とする。
【００２５】
一対のローラガイド部１９，１９間に設けられたギヤ支持部２０は、ベース板１１の下面側に支持されている左右一対の搬送アーム１２，１３を同期して回動させる一対のタイミング部材１７，１８が取り付けられている。ギヤ支持部２０は、タイミング部材１７，１８にそれぞれ設けられるタイミングギヤ４１が回転可能に支持されている。
【００２６】
また、ベース板１１は、ローラガイド部１９に隣接して、係止部材１４の係止ピン５１が挿通する挿通口２１が形成されている。挿通口２１は、ベース板１１の左右両側面側に向かって形成されたガイド溝部２２と、ガイド溝部２２と連続され係止部材１４の移動軌跡をストッパ１５と係止可能な領域から逸らす退避部２３とを有する。ガイド溝部２２は、搬送アーム１２，１３のディスク挿入方向への回動にともなって回動する係止ピン５１の回動領域に亘って、ベース板１１の略中央から両側面側に向かって円弧状に形成されている。退避部２３は、搬送アーム１２，１３に突設された第２の摺動片３５ｂが摺動する第２のガイド片２３ａが形成されている。第２のガイド片２３ａは、上記第１のガイド片１９ａとともに、搬送アーム１２，１３を支持するものであり、第２の摺動片３５ｂの回動領域に亘って形成されている。
【００２７】
また、ベース板１１は、ガイド溝部２２に沿って、ストッパ１５を回動可能に支持する凹面部２６が形成されている。凹面部２６は、ベース板１１の中央部よりにガイド溝部２２に沿って形成されている。凹面部２６は、ストッパ１５が係合可能とされ、これによりストッパ１５をガイド溝部２２から退避させる。また、凹面部２６は、ストッパ１５のガイド溝部２２側への回動範囲を規制する係止凹部２６ａが形成されている。
【００２８】
凹面部２６に進退可能に支持されるストッパ１５は、係止部材１４の係止ピン５１を係止することにより、搬送アーム１２，１３の回動領域を大径ディスク３ａの排出位置までに規制するものである。ストッパ１５は、断面コ字状に形成され、開放端面よりガイド溝部２２に沿って形成された凹面部２６に係合されている。ストッパ１５は、ベース板１１の中央部側の基端が凹面部２６に回動可能に支持されるとともに捩りコイルバネ２７が係止されることにより、ベース板１１の両側面側の先端が凹面部２６よりガイド溝部２２に突出する図５矢印Ａ方向へ回動付勢されている。ストッパ１５は、一端側に設けられた鉤部２８が凹面部２６に設けられた係止凹部２６ａに係止されることにより回動領域が規制される。
【００２９】
かかるストッパ１５は、捩りコイルバネ２７に回動付勢されるとともに、係止凹部２６ａによって回動位置が規制されることにより、常時、先端がガイド溝部２２側に突出し、係止ピン５１と係止可能とされている。このとき、ストッパ１５と退避部２３との間には、係止ピン５１が挿通可能なクリアランスＣが設けられる。
【００３０】
そしてストッパ１５は、大径ディスク３ａが挿入される際には、大径ディスク３ａの外周に押圧された係止ピン５１が基端側から摺接することにより、反矢印Ａ方向へ回動され凹面部２６に係合し、ガイド溝部２２から退避する。
【００３１】
ストッパ１５は、大径ディスク３ａが排出されると、図５に示すように、大径ディスク３ａの外周面に当接することによりクリアランスＣ側への回動が規制された係止ピン５１が先端に係止する。これにより搬送アーム１２，１３の回動を規制し、大径ディスク３ａの排出位置に搬送アーム１２，１３を保持する。一方、ストッパ１５は、小径ディスク３ｂが排出されると、図１９に示すように、小径ディスク３ｂの外周面に係止ピン５１が当接せず、クリアランスＣを通過してガイド溝部２２から退避部２３へと移動することから、係止ピン５１が先端に係止されず、搬送アーム１２，１３の回動を規制することなく、小径ディスク３ｂの排出位置まで回動させる。
【００３２】
かかるベース板１１には、下面側に、左右一対の搬送アーム１２，１３と、左右一対のタイミング部材１７，１８とが回動自在に支持されている。各搬送アーム１２，１３は、アーム本体３０を有し、このアーム本体３０に、搬送ローラ１６と、タイミング部材１７又はタイミング部材１８と、ギヤユニット６０からの駆動力を伝達する伝達ギヤ列３１とが配設されている。アーム本体３０は、一端に下部ケース４に配設されたシャフトギヤ６８が挿通するギヤ孔３２が形成されている。またアーム本体３０は、ギヤ孔３２近傍に、ギヤ孔３２に挿通されたシャフトギヤ６８と咬合する伝達ギヤ列３１が支持される複数の支持凸部３３が突設されている。支持凸部３３の一には、後述する係止部材１４に係止するフック部３３ａが形成されている。さらにアーム本体３０は、ベース板１１に形成された第１のガイド片１９ａ及び第２のガイド片２３ａに摺動可能に係止する第１、第２の摺動片３５ａ，３５ｂが突設されている。
【００３３】
そしてアーム本体３０は、ギヤ孔３２がベース板１１の下面に突設された円弧状の回転支持壁３９に挿通されるとともに、第１、第２の摺動片３５ａ，３５ｂがベース板１１の第１のガイド片１９ａ及び第２のガイド片２３ａにそれぞれ係止することにより、ベース板１１に回動可能に係止される。アーム本体３０の回動領域は、上述したローラガイド部１９によって、ディスク挿入方向及び排出方向とも規制されている。
【００３４】
アーム本体３０は、他端側に搬送ローラ１６を回転自在に支持するローラ支持部３４が形成されている。ローラ支持部３４は、搬送ローラ１６を支持する上下一対の支持片３４ａ，３４ｂと、アーム本体３０の上方に立設された側壁３４ｃとを有する。
【００３５】
上側の支持片３４ａは、光ディスク３の上面をガイドするガイドリブ３６が形成されている。ガイドリブ３６は、アーム本体３０が排出方向に回動されたとき、ディスク挿脱口１０に向けられ、搬送ローラ１６の高さ方向の略中央に光ディスク３の外周が当接するように、光ディスク３の上面をガイドする。これによりガイドリブ３６は、光ディスク３が傾いて挿入され上部カバー５に衝突することを防止する。
【００３６】
支持片３４ａ，３４ｂに支持される搬送ローラ１６は、ゴム等の摩擦係数の大きい材料からなる略鼓形状をなし、上下方向に亘って支軸が挿通されている。そして搬送ローラ１６は、支軸が支持片３４ａ，３４ｂに支持されることにより回転自在に支持される。また、搬送ローラ１６は、下側に伝達ギヤ列３１と咬合するローラギヤ３７が一体に設けられ、伝達ギヤ列３１を介してギヤユニット６０の駆動力が伝達される。
【００３７】
かかる搬送ローラ１６は、搬送アーム１２，１３とともに回動されることにより、光ディスク３の外周を両側から挟持する。そして搬送ローラ１６は、ギヤユニット６０を介して駆動モータ６１の駆動力が伝達されることにより一方又は他方に回転駆動され、回転方向に応じて光ディスク３を挿入方向あるいは排出方向へ搬送する。
【００３８】
搬送ローラ１６のローラギヤ３７と咬合される伝達ギヤ列３１は、アーム本体３０に支持されることにより、ギヤ孔３２に一端が臨まされ、ギヤ孔３２に挿通されたシャフトギヤ６８と咬合されている。
【００３９】
第１、第２の摺動片３５ａ，３５ｂは、ベース板１１に設けられた第１、第２のガイド片１９ａ，２３ａに摺動可能に係止されることにより、搬送アーム１２，１３の安定した回動をサポートするものである。第１、第２の摺動片３５ａ，３５ｂは、第１、第２のガイド片１９ａ，２３ａに対応する位置に立設され、先端が鉤状に形成されている。
【００４０】
なお、アーム本体３０には、タイミング部材１７，１８のタイミングアーム４０に突設された支持凸部４２が摺動するアーム溝３８が形成されている。アーム溝３８は、搬送アーム１２，１３の回動にともなってタイミングアーム４０の支持凸部４２が摺動する。
【００４１】
また、搬送アーム１２のアーム本体３０は、後述するスライダーユニット１００のメインスライダー１０１によって押圧されるリリースピン４９が突設されている。搬送アーム１２は、光ディスク３がチャッキングされた後、メインスライダー１０１によってリリースピン４９が押圧されることにより、さらにディスク挿入方向へ回動され、搬送ローラ１６が光ディスク３の外周面から離間する。また、搬送アーム１２がメインスライダー１０１によって回動されることにより、搬送アーム１３もタイミング部材１７，１８によってディスク挿入方向へ回動され、搬送ローラ１６が光ディスク３の外周面から離間する。これにより搬送アーム１２，１３は、光ディスク３をリリースして回転可能とする。
【００４２】
左右一対の搬送アーム１２，１３とベース板１１との間には、左右一対の搬送アーム１２，１３が一体に同期して回動させるタイミング部材１７，１８が設けられている。タイミング部材１７，１８は、アーム本体３０にそれぞれ支持されたタイミングアーム４０と、タイミングアーム４０の先端に回動自在に支持されたタイミングギヤ４１とを備える。タイミング部材１７，１８は、アーム本体３０にタイミングアーム４０の一端が回転自在に取り付けられるとともに、他端にタイミングギヤ４１が一体に取り付けられ、両タイミングギヤ４１，４１が咬合されている。またタイミング部材１７は、ベース板１１の左側面側に支持された搬送アーム１２に設けられ、タイミング部材１８は、ベース板１１の右側面側に支持された搬送アーム１３に設けられている。
【００４３】
タイミングアーム４０は、搬送アーム１２，１３とともに回動するときに、ベース板１１より露出しない所定の折り曲げ形状を有する。タイミングアーム４０は、一端にアーム本体３０のアーム溝３８に係合する支持凸部４２が形成され、円盤状の他端にタイミングギヤ４１が嵌合する嵌合孔４３と支軸４４が挿通する軸孔４５とが形成されている。タイミングギヤ４１は、外周部にギヤ歯が形成されるとともに、主面部にタイミングアーム４０の他端に形成された嵌合孔４３に嵌合する嵌合凸部４６と、支軸４４が挿通する軸孔４７とが形成されている。
【００４４】
そして、タイミング部材１７，１８は、タイミングアーム４０の嵌合孔４３にタイミングギヤ４１の嵌合凸部４６が嵌合することにより軸孔４５，４７が連続され、この軸孔４５，４７に支軸４４が挿通されることにより、タイミングギヤ４１が回転可能にベース板１１のギヤ支持部２０に取り付けられる。また、タイミング部材１７，１８は、タイミングアーム４０の一端に突設された支持凸部４２がそれぞれアーム本体３０に形成されたアーム溝３８に係合される。これによりタイミング部材１７，１８は、一端が搬送アーム１２，１３に回動自在に支持され、かつ他端がベース板１１のギヤ支持部２０に回転自在に取り付けられている。
【００４５】
さらに、ベース板１１の左側面側に取り付けられたタイミング部材１７は、タイミングアーム４０に捩りコイルバネ４８が係止されている。捩りコイルバネ４８は、アーム本体３０をディスク排出方向へ回動付勢するものであり、一端をベース板１１に固定され、他端をタイミング部材１７のタイミングアーム４０に係止されている。タイミング部材１７は、捩りコイルバネ４８によってタイミングアーム４０がディスク排出方向へ付勢されることにより、搬送アーム１２も同方向となる図５中矢印Ｂ方向へ回動される。タイミング部材１７のタイミングギヤ４１と咬合するタイミング部材１８は、タイミング部材１７のタイミングアーム４０がディスク排出方向へ回動されると、同様にタイミングアーム４０がディスク排出方向へ回動される。
【００４６】
したがって、左右一対の搬送アーム１２，１３は、タイミング部材１７，１８によって常に一体に回動されることとなる。また搬送アーム１２，１３は、タイミング部材１７に係止されている捩りコイルバネ４８の付勢力によって常時ディスク排出方向へ付勢されているため、挿排出行程においては、搬送ローラ１６，１６が常に光ディスク３の外周に当接されている。なお、捩りコイルバネ４８による付勢力は光ディスク３の外周部に搬送アーム１２，１３の搬送ローラ１６，１６を当接させるようにアーム本体３０を回動させるのに十分な付勢力を有していればよく、ユーザによる光ディスク３の挿入を妨げるものではない。
【００４７】
次いで、搬送アーム１２，１３の回動領域を規制する係止部材１４について説明する。係止部材１４は、上述したストッパ１５に係止されることにより大径ディスク３ａの排出位置に搬送アーム１２，１３の回動領域を規制するものであり、アーム本体３０に支持された回動板５０と、ストッパ１５に係止される係止ピン５１とを有する。
【００４８】
回動板５０は、略扇形状に形成され、角部に回動中心となる支持孔５３が形成されている。回動板５０は、支持孔５３が、アーム本体３０に立設された回動支軸５４に挿通されることにより、アーム本体３０に回動可能に支持される。また回動板５０は、回動支軸５４に環状部が挿通された捩りコイルバネ５５の一端が係止することにより、図５中矢印Ｄ方向へ回動付勢されている。
【００４９】
また係止部材１４は、回動板５０の円弧状の側面部より、係止ピン５１が立設されている。係止ピン５１は、回動板５０がアーム本体３０に支持されるとともにアーム本体３０がベース板１１の下面側に配設されることにより、挿通口２１に挿通される。そして係止ピン５１は、光ディスク３の挿排出行程において、搬送アーム１２，１３のベース板１１に対する回動、及び回動板５０のアーム本体３０に対する回動に応じて、挿通口２１のガイド溝部２２と退避部２３とに亘って移動する。
【００５０】
具体的に、係止ピン５１は、大径ディスク３ａの排出時に、大径ディスク３ａの外周に当接されることにより捩りコイルバネ５５の付勢力による回動板５０の矢印Ｄ方向への回動が規制され、ストッパ１５の先端に係止される。一方、係止ピン５１は、小径ディスク３ｂの排出時には小径ディスク３ｂの外周に当接しないため、捩りコイルバネ５５の付勢力によって回動板５０が回動されることにより、ストッパ１５の先端と挿通口２１とのクリアランスＣを通過して退避部２３に移動され、ストッパ１５の先端に係止することがない。
【００５１】
また、回動板５０には、支持孔５３を中心とした同心円状に、円弧状の長孔５６が形成されている。長孔５６は、搬送アーム１２，１３の回動を規制するものであり、図６に示すように、アーム本体３０に立設された支持凸部３３のフック部３３ａがスライド可能に係止されている。
【００５２】
回動板５０は、長孔５６が回動板５０の回動中心となる支持孔５３を中心とした同心円状に形成されているため、フック部３３ａが摺動することでアーム本体３０に対する回動には支障がない。また、回動板５０は、フック部３３ａが長孔５６に係止されることにより、光ディスク３の挿入力によって係止部材１４がアーム本体３０に対して傾くことを防止し、アーム本体３０に回動の抑制力が働くことを防止することができる。
【００５３】
そして回動板５０は、フック部３３ａが長孔５６の一端５６ａに当接することにより、搬送アーム１２，１３の回動を規制することができる。すなわち、大径ディスク３ａの排出工程において、係止部材１４は、係止ピン５１がストッパ１５の先端に当接されることにより図６中矢印Ｄ方向への回動が規制される。一方、搬送アーム１２，１３は、捩りコイルバネ４８によって同図中矢印Ｂ方向へ回動されるため、フック部３３ａが長孔５６の一端５６ａに当接する。これにより、搬送アーム１２，１３は、矢印Ｂ方向への回動が規制され、大径ディスク３ａ排出位置まで回動されることとなる。
【００５４】
次いで、ディスク挿排出ユニット１０に駆動力を伝達するギヤユニット６０について説明する。図７に示すように、ギヤユニット６０は、駆動モータ６１の駆動力をディスク挿排出ユニット１０、ディスクチャッキングユニット８０及びスライダーユニット１００に伝達するものである。ギヤユニット６０は、駆動モータ６１のウォームと咬合するヘリカルギヤ６３と、ヘリカルギヤ６３と咬合する減速ギヤ６５と、減速ギヤ６５と咬合するスイングギヤ６６と、スイングギヤ６６と咬合するアイドラギヤ６７と、上述した搬送アーム１２，１３の各伝達ギヤ列３１と咬合するシャフトギヤ６８Ｌ，６８Ｒと、シャフトギヤ６８Ｌ，６８Ｒ間を連結するプーリ６９とを備える。
【００５５】
シャフトギヤ６８Ｌ，６８Ｒは、搬送アーム１２，１３の各アーム本体３０に形成されたギヤ孔３２に挿通されることにより伝達ギヤ列３１と咬合され、駆動モータ６１の駆動力を搬送ローラ１６に伝達するものである。シャフトギヤ６８Ｌ，６８Ｒは、搬送アーム１２，１３に対応して装置本体２の左右両側に配設されている。装置本体２の左側面側に設けられ搬送アーム１２のアーム本体３０に挿通するシャフトギヤ６８Ｌは、アーム本体３０の伝達ギヤ列３１と咬合する上ギヤ部６８Ｌａと、アイドラギヤ６７と咬合する下ギヤ部６８Ｌｂと、プーリ６９の伝達ベルト７０が巻回する巻回部６８Ｌｃとを有する。また、装置本体２の右側面側に設けられ搬送アーム１３のアーム本体３０に挿通するシャフトギヤ６８Ｒは、アーム本体３０の伝達ギヤ列３１と咬合する上ギヤ部６８Ｒａと、プーリ６９のプーリギヤ７１と咬合する下ギヤ部６８Ｒｂとを有する。
【００５６】
プーリ６９は、駆動モータ６１の駆動力を一対のシャフトギヤ６８Ｌ，６８Ｒ間で伝達するものであり、伝達ベルト７０と、搬送アーム１３側のシャフトギヤ６８Ｒと咬合するプーリギヤ７１とを有する。プーリギヤ７１は、伝達ベルト７０が巻回する巻回部７１ａと、シャフトギヤ６８Ｒの下ギヤ部６８Ｒｂと咬合する咬合部７１ｂとを有する。伝達ベルト７０は、シャフトギヤ６８Ｌの巻回部６８Ｌｃと、プーリギヤ７１の巻回部７１ａとの間に巻回されている。
【００５７】
かかるギヤユニット６０は、駆動モータ６１が駆動されると、ヘリカルギヤ６３、減速ギヤ６５、スイングギヤ６６及びアイドラギヤ６７を介してシャフトギヤ６８Ｌが回転される。シャフトギヤ６８Ｌが回転されると、搬送アーム１２の伝達ギヤ列３１が回転され、搬送アーム１２側の搬送ローラ１６が回転駆動される。同時に、シャフトギヤ６８Ｌが回転されることにより、伝達ベルト７０を介してプーリギヤ７１が回転され、プーリギヤ７１と咬合するシャフトギヤ６８Ｒが回転される。シャフトギヤ６８Ｒが回転されると、搬送アーム１３の伝達ギヤ列３１が回転され、搬送アーム１３側の搬送ローラ１６も回転駆動される。
【００５８】
ここで、ギヤユニット６０は、搬送アーム１２側の搬送ローラ１６と、搬送アーム１３側の搬送ローラ１６とで、回転方向を反対にする。したがって、搬送アーム１２，１３は、搬送ローラ１６，１６が互いに反対方向に回転されることで、光ディスク３の外周面を左右両側から当接する一対の搬送ローラ１６，１６によって、駆動モータ６１の回転方向に応じ、装置本体２の挿入方向あるいは排出方向へ搬送することができる。
【００５９】
なお、スイングギヤ６６は、図８に示すように、下部ケース４の底面に回転可能に取り付けられたスイングプレート７４上に支持されている。そしてスイングギヤ６６は、スイングプレート７４が後述するスライダーユニット１００のメインスライダー１０１によって回転されることにより、アイドラギヤ６７との咬合が外れる。これによりギヤユニット６０は、光ディスク３の装置本体２内への搬送が終了すると、駆動モータ６１と搬送ローラ１６，１６とを切り離す。
【００６０】
次いで、ディスク挿排出ユニット１０によって引き込まれた光ディスクを光ピックアップ機構７のターンテーブル１１３に装着させるディスクチャッキングユニット８０について説明する。ディスクチャッキングユニット８０は、装置本体２の上部カバー５に形成され、後述するスライダーユニット１００と連動することにより、光ディスク３をターンテーブル１１３とクランププレート８１とで回転自在に挟持させるものである。
【００６１】
図９及び図１０にディスクチャッキングユニット８０を示す。図９は上部カバー５を下方から示す斜視図であり、上部カバー５上に配設されたディスクチャッキングユニット８０を透過して示している。また、図１０は、装置本体２を上方から示す斜視図であり、上部カバー５を省略し、ディスクチャッキングユニット８０及び装置本体２内部を示す。
【００６２】
図９及び図１０に示すように、ディスクチャッキングユニット８０は、ターンテーブル１１３とともに光ディスク３を挟持するクランププレート８１と、クランププレート８１をターンテーブル１１３から離間させる第１、第２のチャックアーム８２，８３と、光ディスク３の外周面を支持するサポートアーム８４と、光ディスク３の搬送を検出しスライダーユニット１００を駆動させるトリガーアーム８５と、トリガーアーム８５をガイドするガイドアーム８６と、装置本体２内に挿入された光ディスク３が大径ディスク３ａか小径ディスク３ｂか識別するディスク識別アーム８７とを有する。そして、ディスクチャッキングユニット８０は、これら各種アームが上部カバー５に回動可能に取り付けられている。
【００６３】
クランププレート８１は、ターンテーブル１１３とともに光ディスク３を挟持するクランプ部８１ａと、上部カバー５上に延在されたフランジ部８１ｂとを有し、クランプ部８１ａが上部カバー５に形成された開口を介して下部ケース４側に臨まされ、ターンテーブル１１３と対向されている。クランプ部８１ａは、マグネットが内蔵され、ターンテーブル１１３に磁気吸着することにより光ディスク３の中心孔周縁を挟持する。フランジ部８１ｂは、後述する第１、第２のチャックアーム８２，８３が上部カバー５との間に挿入あるいは退避することによりクランプ部８１ａを昇降させ、これによりターンテーブル１１３と近接離間させる。
【００６４】
第１、第２のチャックアーム８２，８３は、クランププレート８１を昇降させるものである。第１、第２のチャックアーム８２，８３は、上部カバー５の上面に回動可能に取り付けられ、クランププレート８１を介して左右両側に配置されている。第１、第２のチャックアーム８２，８３は、クランププレート８１のフランジ部８１ｂを介して対向するように、円弧状のエッジ部８２ａ，８３ａが形成されている。各エッジ部８２ａ，８３ａは、第１、第２のチャックアーム８２，８３が回動されることにより、クランププレート８１のフランジ部８１ｂと上部カバー５の上面との間に挿入可能とされている。
【００６５】
第１のチャックアーム８２は、上部カバー５の上面に形成された図示しない貫通孔を介して下部ケース４側に垂下する回動ピン９１が形成されている。回動ピン９１は、後述するサブスライダー１０２のガイドカムに係合し、サブスライダー１０２のスライドによって回動される。また、第１のチャックアーム８２は、一端部に係合ピン８２ｂが立設されている。係合ピン８２ｂは、第２のチャックアーム８３に形成された係合溝８３ｂに挿通されている。これにより第１、第２のチャックアーム８２，８３は、第１のチャックアーム８２が回動されると、第２のチャックアーム８３も連動して回動される。
【００６６】
第１のチャックアーム８２は、回動ピン９１がサブスライダー１０２のスライドに応じて回動されることによりエッジ部８２ａがクランププレート８１のフランジ部８１ｂと上部カバー５との間に挿入あるいは退避されるとともに、係合ピン８２ｂによって第２のチャックアーム８３を回動させ、エッジ部８３ａをクランププレート８１のフランジ部８１ｂと上部カバー５との間に挿入あるいは退避させる。
【００６７】
サポートアーム８４は、ディスク挿脱口１０より挿入された光ディスク３の挿入端を支持することにより光ディスク３の挿入をガイドするものであり、上部カバー５の内面に回動可能に支持されている。サポートアーム８４は、一端に略鼓形状をなすディスク支持部９３が形成され、他端を上部カバー５に支持されている。またサポートアーム８４は、捩りコイルバネによって常時ディスク排出方向に回動付勢されている。さらにサポートアーム８４は、後述するサブスライダー１０２に回動操作される操作ピン９２が立設されている。
【００６８】
かかるサポートアーム８４は、ディスク支持部９３の略中央で光ディスク３の外周面を支持することにより、光ディスク３の挿入をガイドし、クランププレート８１のクランプ部８１ａやターンテーブル１１３との接触を防止する。またサポートアーム８４は、光ディスク３がターンテーブル１１３上にチャッキングされると、サブスライダー１０２によって操作ピン９２がガイドされ、光ディスク３の外周から離間する。
【００６９】
トリガーアーム８５は、ガイドアーム８６とともに挿入された光ディスク３の種別に応じた適切なタイミングでスライダーユニット１００を駆動させるものであり、長手方向の一端をガイドアーム８６に回転自在に支持され、長手方向の他端に光ディスク３の外周面が当接されるディスク当接部９４が形成されている。またトリガーアーム８５は、メインスライダー１０１の上面に形成されたカム溝に係合する押圧ピン９５が立設されている。押圧ピン９５は、メインスライダー１０１を、ギヤユニット６０と咬合する装置本体２の正面２ａ側に押圧するものである。
【００７０】
ガイドアーム８６は、上部カバー５の内面に回転自在に取り付けられた板状体をなし、上部カバー５に対する回転中心と偏倚した位置にトリガーアーム８５を回転自在に支持している。またガイドアーム８６は、メインスライダー１０１の上面に形成されたカム溝に係止される係止軸が立設されている。またガイドアーム８６は、外周の一部にディスク識別アーム８７の回転規制部９８が係脱される切り欠き部が形成されている。
【００７１】
ガイドアーム８６は、ディスク識別アーム８７によって回動が規制されており、大径ディスク３ａが挿入された場合のみディスク識別アーム８７の規制が解除され、トリガーアーム８５の回動に連動して回転が可能となる。そしてガイドアーム８６は、トリガーアーム８５が大径ディスク３ａの外周面に押圧されて回動されることにより係止軸がメインスライダー１０１のカム溝に当接するまでトリガーアーム８５と一体に回転し、図１１に示すように、係止軸がカム溝の壁部に当接することにより回転が規制される。トリガーアーム８５は、ガイドアーム８６が回転されることにより支点が移動しながら回転されるため、メインスライダー１０１のカム溝に係合している押圧ピン９５を支点に回転される。ガイドアーム８６がメインスライダー１０１のカム溝に係止されて回転が規制された後、さらにトリガーアーム８５が光ディスク３に押圧されると、図１２に示すように、ガイドアーム８６に対する支点が固定されたトリガーアーム８５は、押圧ピン９５がメインスライダー１０１のカム溝を押圧し、ギヤユニット６０と咬合する装置本体２の正面２ａ側へスライドさせる。なお、図１２では、ガイドアーム８６を省略している。
【００７２】
一方、ガイドアーム８６は、小径ディスク３ｂが挿入された場合にはディスク識別アーム８７によって回転が規制されている。この場合、トリガーアーム８５は、ガイドアーム８６に対する支点が固定された状態で光ディスク３に押圧されて回動されるため、直ちにメインスライダー１０１を押圧ピン９５によって押圧し、装置本体２の正面２ａ側にスライドさせる。
【００７３】
ディスク識別アーム８７は、大径ディスク３ａが挿入された場合にガイドアーム８６の回転を許可し、ガイドアーム８６が所定量回転した後、トリガーアーム８５によるメインスライダー１０１の押圧を可能とするものであり、上部カバー５の内面に回転自在に支持されている。ディスク識別アーム８７は、上部カバー５との回転支点を介した一端側に大径ディスク３ａと当接する被押圧部９７が形成され、回転支点を介した他端側にガイドアーム８６の切り欠き部に係脱する回転規制部９８が形成されている。
【００７４】
かかるディスク識別アーム８７は、回転支点に係止された捩りコイルバネに付勢されることにより、常時、回転規制部９８がガイドアーム８６に係合して回転を規制している。そしてディスク識別アーム８７は、大径ディスク３ａが挿入されると、被押圧部９７が大径ディスク３ａの外周面に押圧され、捩りコイルバネの付勢力に対抗して回転される。これによりディスク識別アーム８７は、回転規制部９８がガイドアーム８６から外れ、ガイドアーム８６を回転自在とする。一方、ディスク識別アーム８７は、小径ディスク３ｂが挿入されると、被押圧部９７が小径ディスク３ｂの外周面と当接せず回転されない。したがってディスク識別アーム８７は、回転規制部９８がガイドアーム８６に係合した状態が維持される。
【００７５】
次いで、スライダーユニット１００について説明する。スライダーユニット１００は、光ディスク３が装置本体２の所定位置まで搬送されると、後述する光ピックアップ機構７を上昇させて、ディスクチャッキングを行わせ、光ディスク３の排出時には光ピックアップ機構７を下降させて光ディスク３のチャッキングを解除させるものである。スライダーユニット１００は、下部ケース４の左側面に沿って前後にスライドするメインスライダー１０１と、下部ケース４の右側面に沿ってスライドされるサブスライダー１０２と、メインスライダー１０１とサブスライダー１０２とを連結するリンクアーム１０３とを備える。
【００７６】
メインスライダー１０１は、上述したギヤユニット６０と咬合することにより前後にスライドするものであり、前側側面にラック部１０４が形成されている。またメインスライダー１０１は、光ピックアップ機構７と対向する側面に上下方向に亘る昇降カム溝が形成され、この昇降カム溝に光ピックアップ機構７のベースシャーシ１１０に突設されたガイドピンが挿通されている。さらに、メインスライダー１０１は、上面に、上述したトリガーアーム８５、ガイドアーム８６及びディスク識別アーム８７より垂下された係合ピンが係合する係合カム溝が複数形成されている。
【００７７】
メインスライダー１０１の下面には、リンクアーム１０３の一端に突設された係合ピンが挿通されている。リンクアーム１０３は、メインスライダー１０１のスライドに応じてサブスライダー１０２をスライドさせるものである。リンクアーム１０３は、長尺な板状体をなし、下部ケース４の下面に略中間部が回動自在に支持され、一端に突設された係合ピンがメインスライダー１０１の後端部に係合され、他端に突設された係合ピンがサブスライダー１０２の後端部に係合されている。
【００７８】
そしてリンクアーム１０３は、メインスライダー１０１が装置本体２の前面側にスライドされることにより一端が前面側に回動すると、他端が背面側に回動し、サブスライダー１０２を背面側にスライドさせる。反対に、リンクアーム１０３は、メインスライダー１０１が装置本体２の背面側にスライドされることにより一端が背面側に回動すると、他端が前面側に回動し、サブスライダー１０２を前面側にスライドさせる。
【００７９】
サブスライダー１０２は、光ピックアップ機構７と対向する側面に上下方向に亘る昇降カム溝が形成され、この昇降カム溝に光ピックアップ機構７のベースシャーシ１１０に突設されたガイドピンが挿通されている。また、サブスライダー１０２は、上面に上述した第１のチャックアーム８２に形成された回動ピン９１が係合するガイドカムが形成されている。
【００８０】
かかるスライダーユニット１００は、光ディスク３が挿入されると、ディスクチャッキングユニット８０のトリガーアーム８５によって、メインスライダー１０１が正面２ａ側へ押圧される。これによりメインスライダー１０１は、ラック部１０４がギヤユニット６０の減速ギヤ６５と咬合する駆動ギヤ１０５と咬合され、正面２ａ側にスライドする。メインスライダー１０１が正面２ａ側にスライドすることにより、リンクアーム１０３を介して連結されているサブスライダー１０２は、背面２ｂ側へスライドする。
【００８１】
スライダーユニット１００は、メインスライダー１０１及びサブスライダー１０２がスライドすることにより、昇降カム溝に挿通されているガイドピンをガイドして、光ピックアップ機構７のベースシャーシ１１０を上昇させる。また、スライダーユニット１００は、サブスライダー１０２が背面２ｂ側へスライドすると、ガイドカムで回動ピン９１をガイドし、第１のチャックアーム８２を回動し、クランププレート８１から第１、第２のチャックアーム８２，８３を離間させる。これにより、ディスクドライブ装置１は、ベースシャーシ１１０のターンテーブル１１３が光ディスク３の中心孔に挿通するとともに、クランププレート８１のクランプ部８１ａがターンテーブル１１３に磁気吸着し、光ディスク３の中心孔周縁を挟持する。
【００８２】
さらに、スライダーユニット１００は、メインスライダー１０１及びサブスライダー１０２の上面に形成された係合カム溝によって、光ディスク３の外周面に当接するサポートアーム８４やディスク識別アーム８７を光ディスク３の外周面より離間させる。また、メインスライダー１０１は、搬送アーム１２のアーム本体３０に立設されているリリースピン４９を押圧することにより、搬送アーム１２，１３をディスク挿入方向へ回動させ、各搬送ローラ１６，１６を光ディスク３の外周面から離間させる。これにより、光ディスク３は、各種アーム及びローラからリリースされ、回転可能となる。
【００８３】
一方、スライダーユニット１００は、駆動モータ６１が逆転駆動されることにより、メインスライダー１０１が背面２ｂ側へスライドされ、サブスライダー１０２が正面２ａ側へスライドされる。これにより、スライダーユニット１００は、第１、第２のチャックアーム８２，８３の各エッジ部８２ａ，８３ａをフランジ部８１ｂ下部に挿入させて、クランプ部８１ａとターンテーブル１１３とを離間させる。また、スライダーユニット１００は、光ピックアップ機構７のベースシャーシ１１０を下降させ、光ディスク３のチャッキングを解除する。さらに、スライダーユニット１００は、リリースピン４９への付勢を解いて搬送アーム１２，１３をディスク排出方向へ回動可能とし、搬送ローラ１６，１６を光ディスク３の外周面に当接させる。これにより光ディスク３は、搬送可能となり、ディスク挿排出ユニット１０によって装置本体２外へ搬送される。
【００８４】
次いで、光ディスク３に対する情報信号の書き込み及び読み出しを行う光ピックアップ機構７について説明する。光ピックアップ機構７は、下部ケース４に昇降自在に支持されたベースシャーシ１１０を有し、このベースシャーシ１１０内にベースユニット１１１が搭載されている。ベースユニット１１１は、ベースシャーシ１１０内に支持されたベースフレーム１１２と、ベースフレーム１１２に取り付けられたターンテーブル１１３と、ベースフレーム１１１にスライド可能に支持された光ピックアップ１１４とを備える。
【００８５】
ベースシャーシ１１０は、略矩形状に形成され、底部にベースユニット１１１のベースフレーム１１２が配設されるとともに、長手方向の一端側にターンテーブル１１３が設けられている。ベースシャーシ１１０は，一端側および他端側の双方が，下部ケース４に昇降方向に設定されたカム溝にガイドされることにより昇降が可能とされている。
【００８６】
またベースシャーシ１１０は、メインスライダー１０１及びサブスライダー１０２と対向する側壁に、ガイドピンが突設されている。そしてベースシャーシ１１０は、ガイドピンがメインスライダー１０１及びサブスライダー１０２の側面に形成された昇降カム溝に挿通されることにより、メインスライダー１０１及びサブスライダー１０２のスライドに応じて、下部ケース４に対して昇降される。これにより、ベースフレーム１１２に取り付けられたターンテーブル１１３は、光ディスク３の搬送領域に進退可能とされている。
【００８７】
ベースユニット１１１は、ベースシャーシ１１０の底部にダンパーを介してベースフレーム１１２が支持されている。ベースフレーム１１２は、略矩形状のフレーム本体を備え、フレーム本体の略中央に光ピックアップ１１４がスライドするピックアップ用開口部が形成されている。またベースフレーム１１２は、ピックアップ用開口部に、光ピックアップ１１４を支持する一対のガイド軸が架設されている。さらにベースフレーム１１２は、光ピックアップ１１４を搬送するリードスクリュー及びリードスクリューを回転させるピックアップ駆動モータがガイド軸と平行に配設されている。
【００８８】
一対のガイド軸に支持されている光ピックアップ１１４は、ピックアップベース１１５を有し、このピックアップベース１１５内に、レーザ光を出射する発光素子と、発光素子から出射されたレーザ光を光ディスク３の信号記録面に照射するとともに光ディスク３からの反射光を集光する対物レンズ１１６と、集光された反射光を検出する光検出器とを備える光学ブロックが組み込まれている。
【００８９】
また、光ピックアップ１１４は、対物レンズ１１６を光軸方向（フォーカシング方向という。）と、光ディスク３の記録トラックと直交する方向（トラッキング方向という。）とに変位駆動する２軸アクチュエータ等の対物レンズ駆動機構を有する。そして光ピックアップ１１４は、光検出器により検出された光ディスク３からの検出信号に基づいて、この２軸アクチュエータにより対物レンズ１１６をフォーカシング方向及びトラッキング方向に変位させながら、光ディスク３の信号記録面上に対物レンズ１１６の焦点を合わせるフォーカスサーボや、対物レンズ１１６により集光される光ビームのスポットを記録トラックに追従させるトラッキングサーボ等の駆動制御を行う。なお、対物レンズ駆動機構としては、このようなフォーカシング制御及びトラッキング制御に加えて、対物レンズ１１６により集光された光ビームを光ディスク３の信号記録面に垂直に照射させるように、光ディスク３の信号記録面に対する対物レンズ１１６の傾き（スキュー）を調整可能とする３軸アクチュエータを用いてもよい。
【００９０】
かかる光ピックアップ１１４は、対物レンズ１１６がターンテーブル１１３上に装着された光ディスク３の径方向に亘ってベースフレーム１１２に設けられたピックアップ用開口部よりディスク搬送領域上に臨まされている。そしてピックアップベース１１５は、ターンテーブル１１３によって回転されている光ディスク３に対して発光素子から出射された光ビームを対物レンズ１１６で集光して照射し、光ディスク３で反射された戻りの光ビームを光検出器で検出することによって、トラッキングサーボ、フォーカシングサーボ等の制御を行いながら光ディスク３に対してデータを書き込み、また、光ディスク３に記録されているデータの読み出しを行う。
【００９１】
光ピックアップ１１４は、一対のガイド軸によって挿通支持される一対の支持部が形成されている。支持部は、ピックアップベース１１５の両側に形成され、一方に略コ字状の係止片が、他方にガイド軸が挿通する挿通口が設けられてなる。
【００９２】
さらに、ピックアップベース１１５は、リードスクリューに係合することによりピックアップベース１１５をトラッキング方向に移動させるラックが取り付けられている。ピックアップベース１１５は、このラックがピックアップ駆動モータによって送られることにより、ガイド軸に沿ってピックアップ用開口部内を送り操作される。これにより光ピックアップ１１４は、ターンテーブル１１３に回転可能に支持されている光ディスク３のトラッキング方向に亘って移動する。
【００９３】
光ディスク３をクランププレート８１とともにチャッキングするターンテーブル１１３は、光ディスク３の中心孔周縁が載置される載置部と、載置部の中心に突設され光ディスク３の中心孔に挿通されることによりディスクセンタリングを行うセンタリング部を備える。またターンテーブル１１３は、下部にスピンドルモータが配設され、スピンドルモータのスピンドルに挿通固定されている。そしてターンテーブル１１３は、スピンドルモータの駆動によって、例えば、光ディスク３を、ＣＬＶ（Constant Linear Velocity）、ＣＡＶ（Constant Angular Velocity）、ＺＣＬＶ（Zone Constant Linear Velocity）、ＺＣＡＶ（Zone Constant Angular Velocity）等となるようなサーボ制御を行いながら回転する。
【００９４】
ターンテーブル１１３は、ベースシャーシ１１０がスライダーユニット１００によって昇降されることにより、光ディスク３の搬送領域上に進退可能とされている。すなわちターンテーブル１１３は、光ディスク３の搬送工程においては、ベースシャーシ１１０が下降され、光ディスク３の搬送領域上から退避されている。これによりディスク搬送機構６は、光ディスク３をターンテーブル１１３と衝突することなく搬送することができる。
【００９５】
また、ターンテーブル１１３は、光ディスク３が装置本体２の所定位置まで搬送されると、ベースシャーシ１１０が上昇され、光ディスク３の搬送領域上に上昇する。このとき、光ディスク３の中心孔がターンテーブル１１３の真上に位置されているため、ターンテーブル１１３は、センタリング部が光ディスク３の中心孔に挿通し、センタリングが図られる。またターンテーブル１１３は、載置部が、第１、第２のチャックアーム８２，８３による係合を解かれたクランププレート８１のクランプ部８１ａと磁気吸着されることにより、光ディスク３の中心孔周縁を回転可能に挟持する。
【００９６】
そして、ターンテーブル１１３は、光ディスク３の排出工程おいて、ベースシャーシ１１０が下降されるとともに、第１、第２のチャックアーム８２，８３がクランププレート８１のフランジ部８１ｂに係合することによりクランプ部８１ａが離間されるため、光ディスク３のチャッキングを解除する。その後、光ディスク３は、ディスク搬送機構６によって装置本体２外へ排出される。
【００９７】
次いで、ディスクドライブ装置１による光ディスク３の挿排出工程について説明する。光ディスク３の挿入を待機している状態において、ディスクドライブ装置１のディスク挿排出ユニット１０は、搬送アーム１２，１３が捩りコイルバネ４８によりディスク排出方向となる図５中矢印Ｂ方向へ回動付勢されるとともに、係止部材１４の係止ピン５１がストッパ１５の先端に係止され大径ディスク３ａの排出位置に停止されている。あるいは、ディスク挿排出ユニット１０は、係止ピン５１がストッパ１５に係止されることなく、搬送アーム１２，１３が、第１の摺動片３５ａがローラガイド部１９の回動規制壁１９ｂに当接する小径ディスク３ｂの排出位置まで回動されている（図１９）。
【００９８】
また、挿入待機状態においては、スライダーユニット１００のメインスライダー１０１は装置本体２の背面２ｂ側にスライドされ、サブスライダー１０２は装置本体２の正面２ａ側へスライドされている。メインスライダー１０１は、ラック部１０４と駆動ギヤ１０５とが離間されている。また、サブスライダー１０２に係合する第１のチャックアーム８２は、第２のチャックアーム８３とともに、各エッジ部８２ａ，８３ａがクランププレート８１のフランジ部８１ｂと上部カバー５との間に挿入され、クランプ部８１ａをターンテーブル１１３から離間させている。またターンテーブル１１３は、ベースシャーシ１１０が下降されることにより、光ディスク３の搬送領域上から退避されている。
【００９９】
さらに、ギヤユニット６０は、スイングプレート７４に支持されたスイングギヤ６６がアイドラギヤ６７と咬合されている。スイングプレート７４は、図示しない捩りコイルバネが係止されており、常時、スイングギヤ６６がアイドラギヤ６７と咬合する方向に回動付勢されている。
【０１００】
この挿入待機状態において、大径ディスク３ａが挿入されると、搬送アーム１２，１３は、搬送ローラ１６，１６が大径ディスク３ａの外周部に当接され、捩りコイルバネ４８の付勢力に対抗してディスク挿入方向となる図５中反矢印Ｂ方向へ回動される。このとき、図１３に示すように、係止部材１４の係止ピン５１は、ストッパ１５の先端から離間され、あるいはストッパ１５の基端側から摺動してストッパ１５を凹面部２６に係合させながら、挿通口２１のガイド溝部２２へ移動する。ストッパ１５は、係止ピン５１が摺動したのち、捩りコイルバネ２７によってガイド溝部２２側に回動される。
【０１０１】
また、ディスクドライブ装置１は、ディスク挿脱口８の上部近傍に設けたセンサによって大径ディスク３ａの挿入を検知すると、駆動モータ６１が駆動され、ギヤユニット６０によってシャフトギヤ６８Ｌ，６８Ｒが回転され、搬送ローラ１６，１６がディスク挿入方向に回転される。大径ディスク３ａは、装置本体２内に挿入されていくと、外周面に当接されている搬送ローラ１６，１６によって引き込まれて、サポートアーム８４、トリガーアーム８５及びディスク識別アーム８７に当接される。ディスク識別アーム８７は、被押圧部９７が大径ディスク３ａに押圧され、背面２ｂ方向に回動されることにより、回転規制部９８がガイドアーム８６から外れ、回転可能とする。トリガーアーム８５は、ディスク当接部９４が大径ディスク３ａに押圧され、背面２ｂ側に回動されることにより、回動規制が解除されたガイドアーム８６とともに回転され、ガイドアーム８６の回転がメインスライダー１０１によって規制された後、押圧ピン９５によってメインスライダー１０１を正面２ａ側に押圧する。
【０１０２】
大径ディスク３ａは、一対の搬送ローラ１６，１６にディスク挿入方向に搬送されるとともに、サポートアーム８４、トリガーアーム８５及びディスク識別アーム８７にガイドされることにより、ターンテーブル１１３及びクランププレート８１のクランプ部８１ａとの間に中心孔が位置するチャッキング位置に搬送される。
【０１０３】
メインスライダー１０１は、ガイドアーム８６によって正面２ａ側に押圧されることにより、ラック部１０４が駆動ギヤ１０５に咬合する。駆動ギヤ１０５はギヤユニット６０の減速ギヤ６５と咬合されているため、メインスライダー１０１が駆動モータ６１の駆動力を受けて正面２ａ側にスライドするとともに、リンクアーム１０３を介してサブスライダー１０２が背面２ｂ側にスライドする。メインスライダー１０１及びサブスライダー１０２がスライドすることにより、ベースシャーシ１１０が上昇され、ターンテーブル１１３のセンタリング部が大径ディスク３ａの中心孔に挿入される。同時に、第１、第２のチャックアーム８２，８３が回動され、エッジ部８２ａ，８３ａがクランププレート８１のフランジ部８１ｂの下から退避され、クランプ部８１ａがターンテーブル１１３に近接する。これにより大径ディスク３ａは、ターンテーブル１１３とクランププレート８１とにチャッキングされる。
【０１０４】
さらにメインスライダー１０１及びサブスライダー１０２がスライドすると、ディスクチャッキングユニット８０を構成するサポートアーム８４、トリガーアーム８５及びディスク識別アーム８７が大径ディスク３ａの外周面から離間するようにガイドされ、また搬送アーム１２，１３も、リリースピン４９が押圧されることにより、ディスク挿入方向に回動され、搬送ローラ１６，１６が大径ディスク３ａの外周面から離間する。また、メインスライダー１０１によってスイングプレート７４が押圧され、スイングギヤ６６がアイドラギヤ６７と離間する方向へ回動される。
【０１０５】
かかる大径ディスク３ａのチャッキング、及びリリースが終了すると、ディスクドライブ装置１は、駆動モータ６１が停止され、大径ディスク３ａの記録又は再生の操作を待機する。
【０１０６】
大径ディスク３ａに対する情報信号の書き込みあるいは読み出しが終了し、排出操作がなされると、駆動モータ６１がディスク挿入時とは逆回転で駆動される。そして、メインスライダー１０１が背面２ｂ側へスライドし、またサブスライダー１０２が正面２ａ側にスライドすると、スイングプレート７４が回動復帰してスイングギヤ６６とアイドラギヤ６７とが咬合し、駆動モータの駆動力が搬送ローラ１６，１６に伝達する。また、ディスクチャッキングユニット８０を構成する各種アームもメインスライダー１０１及びサブスライダー１０２によるガイドが解かれ、大径ディスク３ａの排出に応じて初期位置に回動復帰する。さらに、ベースシャーシ１１０が下降するとともに、第１、第２のチャックアーム８２，８３が回動され、ターンテーブル１１３とクランププレート８１のクランプ部８１ａとが離間し、大径ディスク３ａのチャッキングが解除される。
【０１０７】
搬送ローラ１６，１６がディスク排出方向へ回転されることにより、大径ディスク３ａはディスク挿脱口８に向かって搬送される。搬送アーム１２，１３は、タイミング部材１７，１８によって常時ディスク排出方向となる矢印Ｂ方向へ回動付勢されているため、大径ディスク３ａの搬送にともなって回動され、常時搬送ローラ１６，１６が大径ディスク３ａの外周面に当接されている。
【０１０８】
また、搬送アーム１２，１３に回動可能に支持されている係止部材１４は、捩りコイルバネ５５に回動付勢されることにより、係止ピン５１がガイド溝部２２から退避部２３に向かって回動される。このとき、図１４に示すように、係止部材１４は、係止ピン５１が大径ディスク３ａの外周面に当接されることにより同図中矢印Ｄ方向への回動が規制されている。このため、係止部材１４は、係止ピン５１がストッパ１５と退避部２３との間に設けられているクリアランスＣを通過することができず、図５に示すように、係止ピン５１がストッパ１５の先端に当接される。搬送アーム１２，１３は、係止ピン５１がストッパ１５の先端に当接することにより、矢印Ｂ方向への回動が規制される。ディスクドライブ装置１では、この係止ピン５１がストッパ１５の先端に当接し搬送アーム１２，１３の回動が規制された位置まで回動されることにより、大径ディスク３ａの排出が停止される。かかる大径ディスク排出位置において、大径ディスク３ａは、ディスク挿脱口８から中心孔が臨まされた状態で保持されている。したがって、ユーザは、大径ディスク３ａの中心孔と外周部を摘むことで把持することができ、信号記録面に触れることなく大径ディスク３ａを扱うことができる。
【０１０９】
ディスクドライブ装置１は、大径ディスク３ａがディスク挿脱口８から排出されたことを検出すると、駆動モータ６１が停止される。図１５に示すように、大径ディスク３ａがディスク挿脱口８から取り去られた後は、搬送アーム１２，１３は、係止ピン５１がストッパ１５の先端に係止された大径ディスク排出位置に支持された状態となる。
【０１１０】
上述した挿入待機状態において、小径ディスク３ｂが挿入されると、搬送アーム１２，１３は、搬送ローラ１６，１６が小径ディスク３ｂの外周部に当接され、捩りコイルバネ４８の付勢力に対抗してディスク挿入方向となる図１６中反矢印Ｂ方向へ回動される。このときも、図１６に示すように、係止部材１４の係止ピン５１は、ストッパ１５の先端から離間され、あるいはストッパ１５の基端側から摺動してストッパ１５を凹面部２６に係合させながら、挿通口２１のガイド溝部２２へ移動する。ストッパ１５は、係止ピン５１が摺動したのち、捩りコイルバネ２７によってガイド溝部２２側に回動される。
【０１１１】
また、ディスクドライブ装置１は、ディスク挿脱口８の上部近傍に設けたセンサによって小径ディスク３ｂの挿入を検知すると、駆動モータ６１が駆動され、ギヤユニット６０によってシャフトギヤ６８Ｌ，６８Ｒが回転され、搬送ローラ１６，１６がディスク挿入方向に回転される。小径ディスク３ｂは、装置本体２内に挿入されていくと、外周面に当接されている搬送ローラ１６，１６によって引き込まれて、サポートアーム８４及びトリガーアーム８５に当接されるが、ディスク識別アーム８７には当接されない。ディスク識別アーム８７は、小径ディスク３ｂに押圧されることなく、回転規制部９８がガイドアーム８６に係止された状態が維持され、回転を規制している。トリガーアーム８５は、ディスク当接部９４が小径ディスク３ｂに押圧され、背面２ｂ側に回動されることにより、回転が規制されたガイドアーム８６と一体に回転されることなく、直ちに押圧ピン９５によってメインスライダー１０１を正面２ａ側に押圧する。
【０１１２】
小径ディスク３ｂは、一対の搬送ローラ１６，１６にディスク挿入方向に搬送されるとともに、サポートアーム８４及びトリガーアーム８５にガイドされることにより、ターンテーブル１１３及びクランププレート８１のクランプ部８１ａとの間に中心孔が位置するチャッキング位置に搬送される。
【０１１３】
メインスライダー１０１は、ガイドアーム８６によって正面２ａ側に押圧されることにより、ラック部１０４が駆動ギヤ１０５に咬合する。駆動ギヤ１０５はギヤユニット６０の減速ギヤ６５と咬合されているため、メインスライダー１０１が駆動モータ６１の駆動力を受けて正面２ａ側にスライドするとともに、リンクアーム１０３を介してサブスライダー１０２が背面２ｂ側にスライドする。メインスライダー１０１及びサブスライダー１０２がスライドすることにより、ベースシャーシ１１０が上昇され、ターンテーブル１１３のセンタリング部が小径ディスク３ｂの中心孔に挿入される。同時に、第１、第２のチャックアーム８２，８３が回動され、エッジ部８２ａ，８３ａがクランププレート８１のフランジ部８１ｂの下から退避され、クランプ部８１ａがターンテーブル１１３に近接する。これにより小径ディスク３ｂは、ターンテーブル１１３とクランププレート８１とにチャッキングされる。
【０１１４】
さらにメインスライダー１０１及びサブスライダー１０２がスライドすると、ディスクチャッキングユニット８０を構成するサポートアーム８４、トリガーアーム８５及びディスク識別アーム８７が小径ディスク３ｂの外周面から離間するようにガイドされ、また搬送アーム１２，１３も、リリースピン４９が押圧されることにより、ディスク挿入方向に回動され、搬送ローラ１６，１６が小径ディスク３ｂの外周面から離間する。また、メインスライダー１０１によってスイングプレート７４が押圧され、スイングギヤ６６がアイドラギヤ６７と離間する方向へ回動される。
【０１１５】
かかる小径ディスク３ｂのチャッキング、及びリリースが終了すると、ディスクドライブ装置１は、駆動モータ６１が停止され、小径ディスク３ｂの記録又は再生の操作を待機する。
【０１１６】
小径ディスク３ｂに対する情報信号の書き込みあるいは読み出しが終了し、排出操作がなされると、駆動モータ６１がディスク挿入時とは逆回転で駆動される。そして、メインスライダー１０１が背面２ｂ側へスライドし、またサブスライダー１０２が正面２ａ側にスライドすると、スイングプレート７４が回動復帰してスイングギヤ６６とアイドラギヤ６７とが咬合し、駆動モータの駆動力が搬送ローラ１６，１６に伝達する。また、ディスクチャッキングユニット８０を構成する各種アームもメインスライダー１０１及びサブスライダー１０２によるガイドが解かれ、小径ディスク３ｂの排出に応じて初期位置に回動復帰する。さらに、ベースシャーシ１１０が下降するとともに、第１、第２のチャックアーム８２，８３が回動され、ターンテーブル１１３とクランププレート８１のクランプ部８１ａとが離間し、小径ディスク３ｂのチャッキングが解除される。
【０１１７】
搬送ローラ１６，１６がディスク排出方向へ回転されることにより、小径ディスク３ｂはディスク挿脱口８に向かって搬送される。図１７に示すように、搬送アーム１２，１３は、タイミング部材１７，１８によって常時ディスク排出方向となる矢印Ｂ方向へ回動付勢されているため、小径ディスク３ｂの搬送にともなって回動され、常時搬送ローラ１６，１６が小径ディスク３ｂの外周面に当接されている。
【０１１８】
また、搬送アーム１２，１３に回動可能に支持されている係止部材１４は、捩りコイルバネ５５に回動付勢されることにより、係止ピン５１がガイド溝部２２から退避部２３に向かって回動される。このとき、図１８に示すように、係止部材１４は、係止ピン５１が小径ディスク３ｂの外周面に当接されることなく、同図中矢印Ｄ方向への回動可能とされている。このため、係止部材１４は、係止ピン５１がストッパ１５と退避部２３との間に設けられるクリアランスＣを通過する。したがって、図１９に示すように、搬送アーム１２，１３は、矢印Ｂ方向への回動が規制されることなく、第１の摺動片３５ａがローラガイド部１９の回動規制壁１９ｂに当接される小径ディスク排出位置まで回動される。ディスクドライブ装置１では、搬送アーム１２，１３が、かかる小径ディスク排出位置まで回動されることにより、小径ディスク３ｂの排出が停止され、ディスク挿脱口８から中心孔が臨まされた状態で保持する。したがって、ユーザは、小径ディスク３ｂの中心孔と外周部を摘むことで把持することができ、信号記録面に触れることなく小径ディスク３ｂを扱うことができる。
【０１１９】
以上のように、ディスクドライブ装置１は、大径ディスク３ａと小径ディスク３ｂとでは、径の違いに応じてディスク挿脱口８からの最適な排出位置が異なることから、光ディスク３の挿排出を行う搬送アーム１２，１３の回動範囲を、小径ディスク３ｂの排出時よりも大径ディスク３ａの排出時に、装置本体２の背面２ｂ側に規制している。具体的に、ディスクドライブ装置１は、搬送アーム１２，１３に、ディスク排出方向に回動付勢された係止部材１４を設けるとともに、搬送アーム１２，１３の回動にともなって回動する係止部材１４の係止ピン５１の移動領域上にストッパ１５を進退可能に設ける。
【０１２０】
そして、大径ディスク３ａの排出時には係止ピン５１の移動軌跡を大径ディスク３ａの外周面によって規制してストッパ１５の先端に係止させ、これにより搬送アーム１２，１３を大径ディスク３ａの排出に適した位置に回動させることができる。一方、小径ディスク３ｂの排出時には、係止ピン５１の移動軌跡が小径ディスク３ｂによって規制されず、ストッパ１５と退避部２３との間に設けたクリアランスＣを通過するため、搬送アーム１２，１３を小径ディスク３ｂの排出に適した位置まで回動させることができる。
【０１２１】
なお、ディスクドライブ装置１は、小径ディスク３ｂがディスク挿脱口８の略中央に挿入されず、左右の一方に偏倚して挿入された場合には、搬送アーム１２，１３の回動を規制して装置本体２内への挿入を不能とする挿入規制部１２０が設けられている。図１６に示すように、挿入規制部１２０は、係止ピン５１が挿通するベース板１１の挿通口２１に、退避部２３と連続して形成されている。具体的に、挿入規制部１２０は、ガイド溝部２２と並列して装置本体２の正面２ａ側に設けられ、退避部２３の内側面がベース板１１の左右両側に入り込む嵌合部１２０ａと、ガイド溝部２２の内側面から連続され嵌合部１２０ａ上を退避部２３内に張り出すガイド辺１２０ｂとを有する。
【０１２２】
嵌合部１２０ａは、小径ディスク３ｂがディスク挿脱口８に偏倚挿入された場合に、係止部材１４の係止ピン５１が嵌合し、搬送アーム１２，１３の回動を規制するものである。すなわち、係止ピン５１は、小径ディスク３ｂが偏倚挿入されると、ディスク外周面に押圧され、挿通口２１内の移動軌跡が通常の挿入時よりも左又は右に偏倚するため、退避部２３の左右両側に形成された嵌合部１２０ａのいずれか一方に嵌合する。係止ピン５１が嵌合部１２０ａに嵌合することにより、係止部材１４及び搬送アーム１２又は搬送アーム１３の回動が規制され、さらなる偏倚挿入は不能となる。この状態で小径ディスク３ｂがさらに装置本体２内に挿入されると、回動が規制された搬送アーム１２，１３によって小径ディスク３ｂはディスク挿脱口８の中央側にガイドされ、通常の挿入動作に復帰する。
【０１２３】
なお、嵌合部１２０ａに嵌合された係止ピン５１は、嵌合部１２０ａ上に張り出し形成されているガイド辺１２０ｂにより、嵌合部１２０ａとの嵌合が外れて偏倚挿入方向へ移動することはない。また、光ディスク３の排出工程において、係止ピン５１がガイド溝部２２から退避部２３へ移動する際にも、ガイド辺１２０ｂが嵌合部１２０ａ上に張り出しているため、係止ピン５１が嵌合部１２０ａ側に入り込むことはない。さらに、大径ディスク３ａが挿入された場合は、ディスク挿脱口８の幅が大径ディスク３ａの径よりも若干広く形成されているだけであるため、偏倚挿入がされたとしても、搬送アーム１２，１３は、ほぼ通常の軌跡で回動する。
【図面の簡単な説明】
【０１２４】
【図１】ディスクドライブ装置の分解斜視図である。
【図２】ディスク挿排出ユニットを上側から示す斜視図である。
【図３】ディスク挿排出ユニットを下側から示す斜視図である。
【図４】ディスク挿排出ユニットを示す分解斜視図である。
【図５】大径ディスクが排出される状態を示す平面図である。
【図６】ディスク挿排出ユニットを一部透過して示す斜視図である。
【図７】下部ケースを示す斜視図である。
【図８】ディスクドライブ装置内部を下方から示す斜視図である。
【図９】ディスクチャッキングユニットを示す斜視図である。
【図１０】チャッキングユニットを示す斜視図である。
【図１１】ガイドアーム８６の回転が規制された状態を示す斜視図である。
【図１２】トリガーアームによってメインスライダーを押圧する状態を示す斜視図である。
【図１３】大径ディスクが挿入された状態を示す平面図である。
【図１４】大径ディスクの排出工程において、係止ピンが大径ディスクの外周に当接されて回動が規制されている状態を示す平面図である。
【図１５】大径ディスクが排出された状態を示す平面図である。
【図１６】小径ディスクが挿入された状態を示す平面図である。
【図１７】小径ディスクが排出される状態を示す平面図である。
【図１８】小径ディスクの排出工程において、係止ピンがストッパに係止されず退避領域へ回動する状態を示す平面図である。
【図１９】小径ディスクが排出された状態を示す平面図である。
【符号の説明】
【０１２５】
１  ディスクドライブ装置、２  装置本体、３  光ディスク、４  下部ケース、５  上部カバー、６  ディスク搬送機構、７  光ピックアップ機構、８  ディスク挿脱口、１０  ディスク挿排出ユニット、１１  ベース板、１２，１３  搬送アーム、１４  係止部材、１５  ストッパ、１６  搬送ローラ、１７，１８  タイミング部材、１９  ローラガイド部、２０  ギヤ支持部、２１  挿通口、２２  ガイド溝部、２３  退避部、２６  凹面部、２７  捩りコイルバネ、２８  鉤部、３０  アーム本体、３１  伝達ギヤ列、３２  ギヤ孔、３３  支持凸部、３４  ローラ支持部、３５  （第１、第２）摺動片、３６  ガイドリブ、３７  ローラギヤ、３８  アーム溝、３９  回転支持壁、４０  タイミングアーム、４１  タイミングギヤ、４２  支持凸部、４３  嵌合孔、４４  支軸、４５  軸孔、４６  嵌合凸部、４７  軸孔、４８  捩りコイルバネ、４９  リリースピン、５０  回動板、  ５１  係止ピン、５３  支持孔、５４  回動支軸、５５  捩りコイルバネ、５６  長孔、６０  ギヤユニット、６１  駆動モータ、６３  ヘリカルギヤ、６５  減速ギヤ、６６  スイングギヤ、６７  アイドラギヤ、６８  シャフトギヤ、６９  プーリ、８０  ディスクチャッキングユニット、８１  クランププレート、８２，８３  チャックアーム、７０  伝達ベルト、７４  スイングプレート、８４  サポートアーム、８５  トリガーアーム、８６  ガイドアーム、８７  ディスク識別アーム、９１  回動ピン、９２  操作ピン、９３  ディスク支持部、９４  ディスク当接部、９５  押圧ピン、９７  被押圧部、９８  回転規制部、１００  スライダーユニット、１０１  メインスライダー、１０２  サブスライダー、１０３  リンクアーム、１０４  ラック部、１０５  駆動ギヤ、１１０  ベースシャーシ、１１１  ベースユニット、１１２  ベースフレーム、１１３  ターンテーブル、１１４  光ピックアップ、１１５  ピックアップベース、１１６対物レンズ、１２０  挿入規制部
【図１】
2009259358.tif 000003
【図２】
2009259358.tif 000004
【図３】
2009259358.tif 000005
【図４】
2009259358.tif 000006
【図５】
2009259358.tif 000007
【図６】
2009259358.tif 000008
【図７】
2009259358.tif 000009
【図８】
2009259358.tif 000010
【図９】
2009259358.tif 000011
【図１０】
2009259358.tif 000012
【図１１】
2009259358.tif 000013
【図１２】
2009259358.tif 000014
【図１３】
2009259358.tif 000015
【図１４】
2009259358.tif 000016
【図１５】
2009259358.tif 000017
【図１６】
2009259358.tif 000018
【図１７】
2009259358.tif 000019
【図１８】
2009259358.tif 000020
【図１９】
2009259358.tif 000021